(57)【特許請求の範囲】
【請求項１】
ベルトと、回転軸に嵌合して一体に固定されるとともに、前記ベルトが巻き掛けられるＶ形溝の一方のテーパ面とそのテーパ面に対して前記回転軸の軸線方向で反対側の背面とが形成されかつ前記テーパ面と前記背面との間に中空部が設けられた固定シーブと、前記Ｖ形溝の他方のテーパ面が形成されるとともに、前記回転軸と一体に回転しかつ前記回転軸の軸線方向に摺動可能に装着された可動シーブと、前記固定シーブと前記可動シーブとにより前記Ｖ形溝が形成されて前記ベルトが巻き掛けられるプーリとを備えたベルト式無段変速機において、
前記背面に、前記固定シーブの外部から前記中空部へ空気を供給するための吸気口が設けられ、
前記背面における前記回転軸を支持する軸受の内径側の位置に、前記中空部から前記背面側の前記軸受に向けて空気を排出するための排気口が設けられ、
前記排気口は、前記固定シーブと前記回転軸との嵌合部分に設けられて、前記中空部から前記背面側の前記軸受に向けて空気を排出するための背面側排気口を含み、
前記嵌合部分に、前記中空部から前記テーパ面側の前記固定シーブの外部へ空気を排出するためのテーパ面側排気口が更に設けられ、
前記背面側排気口は、前記固定シーブの前記中空部から前記背面にわたる前記嵌合部分に設けられた前記固定シーブと前記回転軸との間のクリアランスを含み、
前記テーパ面側排気口は、前記固定シーブの前記中空部から前記テーパ面にわたる前記嵌合部分に設けられた前記固定シーブと前記回転軸との間のクリアランスを含む
ことを特徴とするベルト式無段変速機。
【請求項２】
前記テーパ面側排気口の前記クリアランスは、前記背面側排気口の前記クリアランスよりも大きいことを特徴とする請求項１に記載のベルト式無段変速機。
【請求項３】
前記吸気口は、前記プーリの前進回転方向に向いて開口する開口部を有し、前記プーリが前記前進回転方向に回転する際に、前記開口部周辺の空気を前記中空部内に取り込むとともに、前記プーリが後進回転方向に回転する際に、前記開口部周辺に負圧が発生する形状に形成されていることを特徴とする請求項１または２に記載のベルト式無段変速機。
【発明の詳細な説明】
【技術分野】
【０００１】
この発明は、駆動側のプーリと従動側のプーリとの間で、それらの間に巻き掛けられたベルトを介して動力を伝達しかつ変速比を連続的に制御するベルト式無段変速機に関し、特に、そのベルト式無段変速機のプーリおよびベルトを冷却するための構造に関するものである。
【背景技術】
【０００２】
ベルト式無段変速機は、ベルトを巻掛けたプーリの溝幅を変化させることにより、プーリの有効径すなわちベルトの巻き掛かり半径を変更して変速比を無段階に設定することのできる変速機である。したがって駆動側（もしくは入力側）および従動側（もしくは出力側）の各プーリが、それぞれ、固定シーブとその固定シーブに対して軸線方向に摺動して近接・離間する可動シーブとによって形成される。そして、可動シーブを例えば油圧などを利用して移動させることにより、各プーリの溝幅を変化させて、ベルトの巻き掛かり半径を連続的に変更することができるように構成されている。
【０００３】
上記のようなベルト式無段変速機の一例が特許文献１に記載されている。この特許文献１に記載されたベルト式無段変速機は、コーン面が形成されて回転シャフトに一体になった固定シーブと、その固定シーブのコーン面に対向するコーン面が形成されて回転シャフトの軸方向に摺動自在に装着された可動シーブとを有するベルト式無段変速機であって、コーン面が形成された第１フランジ部と、コーン面に対して回転シャフトの軸方向で反対側の背面が形成された第２フランジ部とが環状接合面で摩擦溶接によって接合されている。したがって、固定シーブの内部が環状の中空構造となるように構成されている。
【０００４】
なお、特許文献２には、外周に歯車部が形成されたプーリフェイスと、駆動軸と共に回転する円筒状のボス部により形成されるドライブ固定シーブと、駆動軸と共に回転しつつドライブ固定シーブに近接・離隔するドライブ可動シーブと、ベース板部および複数の羽根片が形成されたファン部材と、軸方向に突出して歯車部と噛み合うピニオンギヤが設けられたスタータモータとからなり、ファン部材が、ボス部に固定されるとともにドライブ固定シーブの背面側と相互に弾性を有しつつ装着されるように構成されたＶベルト式自動変速装置に関する発明が記載されている。
【０００５】
また、特許文献３には、駆動プーリの可動シーブに冷却風通路が形成されたＶベルト式自動変速機であって、可動シーブの軸線方向へ延びるように形成された複数の軸方向通路と、放射状に形成された径方向通路とによって冷却風通路が形成され、軸方向通路の一端が可動シーブにおける伝動部とは反対側の端部に開口するとともに、他端が径方向通路の径方向の内側の端部に接続され、径方向通路の径方向の外側の端部が可動シーブの外周部に開口するように構成されたＶベルト式自動変速機に関する発明が記載されている。
【０００６】
また、特許文献４には、無段変速用の一組のプーリとベルトとが無段変速ケース内に設置され、無段変速ケースの一方側に入力軸が支持され、他方側に出力軸が支持されるとともに、入力軸および出力軸上にそれぞれプーリが支持されるよう構成された無段変速装置であって、入力軸の軸内に冷却風が通る通風孔が形成された無段変速機の冷却機構に関する発明が記載されている。
【０００７】
そして、特許文献５には、ケース本体内に形成されたベルト室内に、入力側プーリと出力側プーリとの間にベルトが巻き掛けられて構成される無段変速機が設置され、出力側プーリのプーリ軸の外周にベルト室冷却用のファンが設けられた乾式無段変速機であって、ケース本体の出力側プーリ軸を支持するボス部の外周に、ファンの中心部に外気を吸い込ませるための複数の連通口が貫通して形成された乾式無段変速機の冷却構造に関する発明が記載されている。
【先行技術文献】
【特許文献】
【０００８】
【特許文献１】特開２００２−１０６６５９号公報
【特許文献２】特開２００８−１９６５２８号公報
【特許文献３】特開２００２−２０６６０４号公報
【特許文献４】特開平９−２８０３３３号公報
【特許文献５】特開平９−３２９２１７号公報
【発明の概要】
【発明が解決しようとする課題】
【０００９】
上記の特許文献１に記載されたベルト式無段変速機のように、プーリの固定シーブを中空構造に形成することにより、従来一般的な回転軸と一体に成形された固定シーブ、すなわち中実構造の固定シーブによってプーリを構成した場合と比較して、プーリを軽量化することができる。その結果、そのプーリを使用するベルト式無段変速機を軽量化することができ、またコストダウンを図ることもできる。
【００１０】
しかしながら、固定シーブを中空構造に形成した場合は、固定シーブを中実構造に形成した場合と比較してプーリおよびベルトの冷却性能が低下してしまうといった課題がある。すなわち、ベルト式無段変速機では、プーリとそのプーリに巻き掛けられるベルトとの間の摩擦力によって動力伝達が行われるので、それらプーリとベルトとの間に摩擦熱が発生する。そのため、それらプーリとベルトとの間の発熱部位を冷却する必要がある。その場合、固定シーブが中実構造であれば、固定シーブのベルトとの接触面（コーン面）で発生した熱を、その接触面とプーリの回転軸方向で反対側の背面へ比較的容易に伝達させることができる。そしてその熱を固定シーブの背面からプーリの外部へ放熱させることができる。これに対して、上記の特許文献１に記載されたベルト式無段変速機のように固定シーブを中空構造に形成した場合には、固定シーブの中空部分に介在する空気が断熱層となるので、固定シーブのベルトとの接触面で発生した熱は背面側へ伝達され難くなる。すなわちプーリの熱が外部へ放熱され難くなる。したがって、固定シーブを中空構造に形成した場合は、固定シーブを中実構造に形成した場合と比較して、プーリおよびベルトの冷却効率が低下してしまうことになる。このような中空構造の固定シーブと中実構造の固定シーブとの冷却性能の差は、プーリおよびベルトの冷却に潤滑油を用いない空冷方式（もしくは乾式）のベルト式無段変速機の場合に特に顕著になる。
【００１１】
このように、プーリの固定シーブを中空構造にしてベルト式無段変速機の軽量化を図ることと、プーリおよびベルトの冷却性能、特に空冷方式のベルト式無段変速機における冷却性能を確保することとを両立させるためには、未だ改良の余地があった。
【００１２】
この発明は上記の技術的課題に着目してなされたものであり、軽量化やコストダウンのためにプーリの固定シーブを中空構造に形成する場合であっても、プーリおよびベルトの冷却性能が良好なベルト式無段変速機を提供することを目的とするものである。
【課題を解決するための手段】
【００１３】
上記の目的を達成するために、請求項１の発明は、ベルトと、回転軸に嵌合して一体に固定されるとともに、前記ベルトが巻き掛けられるＶ形溝の一方のテーパ面とそのテーパ面に対して前記回転軸の軸線方向で反対側の背面とが形成されかつ前記テーパ面と前記背面との間に中空部が設けられた固定シーブと、前記Ｖ形溝の他方のテーパ面が形成されるとともに、前記回転軸と一体に回転しかつ前記回転軸の軸線方向に摺動可能に装着された可動シーブと、前記固定シーブと前記可動シーブとにより前記Ｖ形溝が形成されて前記ベルトが巻き掛けられるプーリとを備えたベルト式無段変速機において、前記背面に、前記固定シーブの外部から前記中空部へ空気を供給するための吸気口が設けられ、前記背面における前記回転軸を支持する軸受の内径側の位置に、前記中空部から前記背面側の前記軸受に向けて空気を排出するための排気口が設けられ、前記排気口は、前記固定シーブと前記回転軸との嵌合部分に設けられて、前記中空部から前記背面側の前記軸受に向けて空気を排出するための背面側排気口を含み、前記嵌合部分に、前記中空部から前記テーパ面側の前記固定シーブの外部へ空気を排出するためのテーパ面側排気口が更に設けられ、
前記背面側排気口は、前記固定シーブの前記中空部から前記背面にわたる前記嵌合部分に設けられた前記固定シーブと前記回転軸との間のクリアランスを含み、前記テーパ面側排気口は、前記固定シーブの前記中空部から前記テーパ面にわたる前記嵌合部分に設けられた前記固定シーブと前記回転軸との間のクリアランスを含むことを特徴とするものである。
【００１６】
また、請求項２の発明は、請求項１の発明において、前記テーパ面側排気口の前記クリアランスが、前記背面側排気口の前記クリアランスよりも大きいことを特徴とするものである。
【００１７】
そして、請求項３の発明は、請求項１または２の発明において、前記吸気口が、前記プーリの前進回転方向に向いて開口する開口部を有し、前記プーリが前記前進回転方向に回転する際に、前記開口部周辺の空気を前記中空部内に取り込むとともに、前記プーリが後進回転方向に回転する際に、前記開口部周辺に負圧が発生する形状に形成されていることを特徴とするものである。
【発明の効果】
【００１８】
請求項１の発明によれば、プーリの固定シーブが中空構造に形成されるため、その分、プーリを軽量化することができる。そして、固定シーブの背面に吸気口と排気口とが設けられることにより、吸気口から固定シーブの中空部に空気を送り込み、その中空部に送り込まれた空気を排気口から固定シーブの外部へ排出することができる。すなわち、固定シーブの中空部に冷却用の空気を流動させることができる。そのため、ベルトとの摩擦接触によって温度が上昇する固定シーブのテーパ面およびベルトを、固定シーブの中空部側から冷却することができる。さらに、固定シーブの排気口から排出される空気を、プーリおよびプーリの回転軸を支持する軸受に放射させることができる。したがって、プーリおよび回転軸の回転に伴って温度が上昇する軸受を冷却することもできる。そのため、固定シーブを中空構造にして軽量化を図る場合であっても、冷却性能が良好な乾式のベルト式無段変速機を提供することができる。
【００１９】
また、固定シーブと回転軸との嵌合部分に、固定シーブの中空部から背面側の軸受に向けて空気を排出する背面側排気口と、固定シーブの中空部からテーパ面側の外部へ空気を排出するテーパ面側排気口とが設けられる。したがって、吸気口から固定シーブの中空部に供給されて固定シーブおよびベルトを冷却した空気を、背面側排気口とテーパ面側排気口とから排出させて、背面側の軸受と、プーリのテーパ面およびベルトの内周面ならびに回転軸の外周面で囲まれる空間とに放射させることができる。そのため、プーリおよびベルトならびに軸受等の発熱部分を効率良く冷却し、ベルト式無段変速機の冷却性能を向上させることができる
【００２０】
また、上記のような背面側排気口およびテーパ面側排気口が、固定シーブと回転軸との嵌合部分に設けられるクリアランスとして形成される。例えば、固定シーブと回転軸と嵌合部分に形成されるキー溝とそのキー溝に挿入されるキーとの間に設けられるクリアランスとして背面側排気口およびテーパ面側排気口が形成される。あるいは、固定シーブと回転軸と嵌合部分に形成されるスプラインとスプライン溝との間もしくはセレーションとセレーション溝との間に設けられるクリアランスとして背面側排気口およびテーパ面側排気口が形成される。したがって、従来固定シーブと回転軸とを固定するために設けられるキー溝構造やスプライン構造などを兼用して、背面側排気口およびテーパ面側排気口を形成することができる。すなわち、背面側排気口およびテーパ面側排気口を、それら背面側排気口およびテーパ面側排気口のための特別な加工を行うことなく容易に形成することができる。
【００２１】
また、請求項２の発明によれば、上記のような背面側排気口およびテーパ面側排気口が、背面側排気口のクリアランスよりもテーパ面側排気口のクリアランスが大きくなるように形成される。すなわち、テーパ面側排気口を流れる空気量が、背面側排気口を流れる空気量よりも多くなるように、それら背面側排気口およびテーパ面側排気口が形成される。そのため、特に外部から冷却することが困難なプーリのテーパ面およびベルトの内周面ならびに回転軸の外周面で囲まれる空間に優先的に冷却用の空気を送ることができ、プーリおよびベルトならびに軸受等の発熱部分を効率良く冷却することができる。
【００２２】
そして、請求項３の発明によれば、プーリが前進方向に回転することにより、吸気口から固定シーブの中空部へ空気が取り込まれる。そのため、使用頻度が高い前進方向の回転時に、固定シーブの中空部へ積極的に空気を供給し、プーリおよびベルトを効率良く冷却することができる。また、特に空冷用の送風装置などを別途設けることなく、簡易な構成で吸気口から固定シーブの中空部へ空気を供給することができる。さらに、プーリが後進方向に回転する場合は、吸気口の開口部付近で負圧が発生するように構成されているため、固定シーブの中空部内の空気がその負圧によって吸気口から外部へ吸い出される。したがって、プーリが後進方向に回転する場合にも、排気口から固定シーブの中空部へ空気を流入させ、その流入させた空気を吸気口から外部へ排出させることができ、プーリおよびベルトを冷却することができる。
【図面の簡単な説明】
【００２３】
【図１】この発明に係るベルト式無段変速機の構成例を示す断面図および矢視図である。
【図２】この発明の吸気口の構成例の詳細を示すとともに、その吸気口における空気の流れを説明するための拡大断面図であって、（ａ）はプーリが前進回転方向に回転する場合の空気の流れを示し、（ｂ）がプーリが後進回転方向に回転する場合の空気の流れを示す図である。
【図３】この発明の排気口の構成例の詳細を示すとともに、その排気口における空気の流れを説明するための拡大断面図である。
【図４】この発明の排気口の他の構成例を示す断面図である。
【図５】図４に示す排気口の他の構成例の詳細を示すとともに、その排気口における空気の流れを説明するための拡大断面図である。
【図６】図４に示す排気口の他の構成例の詳細を示す矢視図である。
【発明を実施するための形態】
【００２４】
次に、この発明の構成を図面を参照して説明する。図１に、この発明におけるベルト式無段変速機１の構成例の主要部分を模式的に示してある。このベルト式無段変速機１は、基本的な構成や動作原理は従来のベルト式無段変速機と同様のものである。すなわち、このベルト式無段変速機１の主要部分は、平行に配置された駆動側（もしくは入力側）および従動側（もしくは出力側）の２本の回転軸２（図１では一方のみを図示している）と、その回転軸２に取り付けられた駆動側（もしくは入力側）および従動側（もしくは出力側）の２つのプーリ３と、それら２つのプーリ３のベルト巻き掛け溝３ａに巻き掛けられて２つのプーリ３の間でトルクを伝達するベルト４とから構成されている。そして、駆動側および従動側の各プーリ３に対するベルト４の巻き掛かり半径を連続的に変化させることにより、変速比を連続的に変化させるように、すなわち変速比を無段階に変更するように構成されている。
【００２５】
プーリ３に関して具体的説明すると、図１に示すように、回転軸２に、可動シーブ５が回転軸２と一体に回転しかつ回転軸２の回転軸線方向に移動が可能なように装着されている。また、回転軸２に、固定シーブ６が回転軸２と一体に回転しかつ回転軸２の回転軸線方向に移動が不可能なように取り付けられている。すなわち回転軸２に固定シーブ６が一体に固定されている。そして、それら可動シーブ５および固定シーブ６は、可動シーブ５のテーパ面５ａと固定シーブ６のテーパ面６ａとが回転軸２の回転軸線方向で互いに対向するように配置されていて、テーパ面５ａとテーパ面６ａとの間に、Ｖ字形状のベルト巻き掛け溝３ａが形成されるようになっている。したがって、これら可動シーブ５と固定シーブ６とによってプーリ３が構成されている。
【００２６】
なお、回転軸２は、軸受７によってケーシング（図示せず）に回転自在に支持されている。軸受７は、例えばラジアル玉軸受やラジアルころ軸受などのころがり軸受によって構成されていて、少なくとも、回転軸２の固定シーブ６が固定されている側の一方の端部２ａを支持するように設置されている。図１には、回転軸２が端部２ａにおいて片持ちで支持された構成例を示してある。これに加えて、端部２ａに設置された軸受７と共に回転軸２の可動シーブ５が装着されている側の他方の端部２ｂにおいても軸受を設置し、回転軸２が両端で支持される構成であってもよい。
【００２７】
可動シーブ５は、テーパ面５ａが形成されて回転軸２上を摺動するシーブ基体部５ｂと、そのシーブ基体部５ｂの回転軸２上での端部２ｂ側への移動限度を設定する規制部材５ｃとから構成されている。規制部材５ｃは、上記のようにシーブ基体部５ｂの回転軸２上での端部２ｂ側への移動範囲を規制するためのものであって、回転軸２の端部２ｂに装着され、回転軸２の回転軸線方向に移動不可能なようにロックナット８などによって回転軸２に固定されている。また、可動シーブ５には、その可動シーブ５を回転軸２の回転軸線方向に摺動させて、固定シーブ６に対して接近・離隔させるためのアクチュエータ（図示せず）が設けられている。
【００２８】
固定シーブ６は、テーパ面６ａが形成された円盤形状もしくは円錐台形状のシーブ基体部６ｂと、テーパ面６ａと回転軸２の回転軸方向で反対側の背面６ｃが形成された円盤形状もしくは円錐台形状の支持部材６ｄと、それらシーブ基体部６ｂと支持部材６ｄとの間すなわちテーパ面６ａと背面６ｃとの間に形成された中空部６ｅとから構成されている。支持部材６ｄは、シーブ基体部６ｂがテーパ面６ａにおいてベルト４からの荷重や反力を受ける際に、シーブ基体部６ｂの背面６ｃ側への変形を防止するための補強部材である。したがって、シーブ基体部６ｂの形状、強度、およびシーブ基体部６ｂが受ける荷重などに応じて、支持部材６ｄの形状、強度が適宜設定されている。
【００２９】
上記のシーブ基体部６ｂと支持部材６ｄとは、固定シーブ６を構成した際にテーパ面６ａと背面６ｃとの間に中空部６ｅが形成されるように、互いに一体に固定されるとともに、共に回転軸２に一体に固定されている。したがって、中空部６ｅは、基体部６ｂと支持部材６ｄと回転軸２の外周面とで囲まれた空間として形成されている。
【００３０】
なお、図１に示す例では、シーブ基体部６ｂと支持部材６ｄとをそれぞれ別体として成形し、それらシーブ基体部６ｂと支持部材６ｄとを接合して一体に固定することにより、それらシーブ基体部６ｂと支持部材６ｄとの間に中空部６ｅを形成した構成を示している。これに加えて、シーブ基体部６ｂと支持部材６ｄとを一体に成形し、例えば機械加工によってそれらシーブ基体部６ｂと支持部材６ｄとの間に中空部６ｅを削り出して形成することもできる。
【００３１】
上記のようにして可動シーブ５と固定シーブ６とから構成されるプーリ３が、ベルト式無段変速機１の駆動側および従動側の２個所に平行に設置されていて、それら２つのプーリ３のベルト巻き掛け溝３ａに、ベルト４が巻き掛けられている。この発明におけるベルト式無段変速機１は、プーリ３およびベルト４の冷却のために潤滑油を用いない空冷方式のものを対象としており、したがってこのベルト式無段変速機１で用いられるベルト４は、いわゆる乾式の伝動ベルトである。そして、ベルト４は、その幅方向（図１での左右方向）における左右の両側面が、断面を正面から見た状態でいわゆるＶ字状に傾斜した面として形成されていて、プーリ３のベルト巻き掛け溝３ａに嵌り込むようになっている。すなわち、ベルト４は、Ｖ字形状のベルト巻き掛け溝３ａが形成されたプーリ３に巻き掛けられるＶベルトとして構成されている。
【００３２】
上記のように、この発明のベルト式無段変速機１は、プーリ３の固定シーブ６を、シーブ基体部６ｂと支持部材６ｄとから形成することにより、その固定シーブ６が中空構造に形成されている。そのため、従来一般的であった固定シーブが中実構造のベルト式無段変速機と比較して軽量化することができる。しかしながら、前述したように、固定シーブ６を中空構造にした場合は、その中空部分に介在する空気の層が断熱層となるので、固定シーブが中実構造の場合と比較して、固定シーブ６のテーパ面６ａ側の熱が背面６ｃ側へ伝達され難くなる。固定シーブ６のテーパ面６ａでベルト４との摩擦によって生じた熱は、背面６ｃ側へ伝達されることにより、その背面６ｃから固定シーブ６の外部へ放熱される。すなわち、固定シーブ６のテーパ面６ａ側から背面６ｃ側へ伝わった熱が外部へ放熱されることにより、それらテーパ面６ａおよびベルト４の発熱部位が冷却される。したがって、固定シーブ６を中空構造にすることにより、上記のように固定シーブ６のテーパ面６ａの熱が背面６ｃから放熱され難くなり、テーパ面６ａおよびベルト４の冷却性が低下してしまう可能性があった。
【００３３】
そこで、この発明におけるベルト式無段変速機１では、中空構造の固定シーブ６を採用することにより固定シーブ６の熱伝達性が低くなる場合であっても、テーパ面６ａおよびベルト４の良好な冷却性能を確保するために、固定シーブ６の背面６ｃを構成している支持部材６ｄに、冷却用の空気を固定シーブ６の中空部６ｅ内へ供給するための吸気口９と、中空部６ｅ内の空気を固定シーブ６の外部へ排出するための排気口１０とが形成されている。
【００３４】
吸気口９は、図１に示すように、支持部材６ｄの外縁部分に、すなわち支持部材６ｄの径方向における外周付近に、支持部材６ｄを貫通するとともに、プーリ３が前進方向に回転する前進回転方向を向いて開口するように形成されている。具体的には、図１，図２に示すように、吸気口９は、支持部材６ｄを貫通して支持部材６ｄの背面６ｃ側の外部と中空部６ｅ側との間で空気の流通を可能にする貫通穴９ａと、支持部材６ｄの背面６ｃに、貫通穴９ａを覆いプーリ３の前進回転方向に向いて開口するフード部材９ｂとから構成されている。
【００３５】
フード部材９ｂは、上記のようにプーリ３の前進回転方向に向いて開口する開口部９ｃを有している。また、フード部材９ｂの開口部９ｃに対してプーリ３の回転方向で反対側の部分が、プーリ３が後進方向に回転する際に空気抵抗が低減するように傾いた傾斜面９ｄとして形成されている。そして、フード部材９ｂは、貫通穴９ａを覆うとともに、貫通穴９ａと開口部９ｃとが連通するように、支持部材６ｄすなわち背面６ｃに一体に固定されている。このフード部材９ｂは、後付けで支持部材６ｄに取り付けられて固定されてもよく、あるいは支持部材６ｄと一体に成形されてもよい。
【００３６】
したがって、吸気口９は、図２の（ａ）に示すように、プーリ３が前進回転方向に回転する場合に、フード部材９ｂの開口部９ｃ側が空気抵抗となり、開口部９ｃ周辺の空気が開口部９ｃから貫通穴９ａを通って中空部６ｅへ流入するように形成されている。それとともに、吸気口９は、図２の（ｂ）に示すように、プーリ３が後進回転方向に回転する場合には、開口部９ｃの出口付近で負圧が発生するように形成されている。すなわち、フード部材９ｂに上記のような傾斜面９ｄが形成されていることから、プーリ３が後進回転方向に回転する場合には、その場合の吸気口９周辺の相対的な空気の流れは、吸気口９の前後で、比較的に流速が低下することなく、また比較的に流れが乱れることなく、プーリ３の後進回転方向の前方（図２の（ｂ）の右側）から後方（図２の（ｂ）の左側）へ進行する。そのため、プーリ３が後進回転方向に回転する場合には、吸気口９の開口部９ｃの出口付近で負圧が発生し、その負圧によって中空部６ｅ内の空気が吸気口９を通って固定シーブ６の外部へ放出されることになる。
【００３７】
なお、吸気口９および排気口１０は、図１に示す例では、支持部材６ｄの円周方向に９０度のピッチで４個所形成されているが、それら吸気口９および排気口１０は、それぞれ、少なくとも１個所ずつに形成されればよい。吸気口９および排気口１０を、例えば、支持部材６ｄの円周方向に１２０度のピッチで３個所形成することもできる。あるいは、支持部材６ｄの円周方向に６０度のピッチで６個所形成することもできる。要は、吸気口９から供給されて排気口１０から排出される空気が、所望する流れとなるように、あるいは効率良く流動するように、吸気口９および排気口１０の形状・寸法、数、配置位置等をそれぞれ適宜に設定することができる。
【００３８】
そして、排気口１０は、支持部材６ｄの内縁部分に、すなわち支持部材６ｄの径方向における中心付近であって、吸気口９よりも支持部材６ｄの内径側に、支持部材６ｄを貫通する貫通穴として形成されている。具体的には、図１，図２，図３に示すように、排気口１０は、支持部材６ｄの径方向における中心付近であって、固定シーブ６が軸受７と共に回転軸２上に配置された状態で軸受７の外形よりも内径側の位置に、支持部材６ｄを貫通して支持部材６ｄの背面６ｃ側の外部と中空部６ｅ側との間で空気の流通を可能にする貫通穴によって形成されている。また、排気口１０の背面６ｃ側の開口部１０ａは、回転軸２上で固定シーブ６の背面６ｃ側に隣接して設置される軸受７に正対するように形成されている。したがって、中空部６ｅ内から排気口１０を通って固定シーブ６の外部へ排出される空気は、排気口１０の開口部１０ａから軸受７に向けて放射されるようになっている。
【００３９】
上記のように固定シーブ６の背面に吸気口９および排気口１０を形成することにより、プーリ３が回転する際に、それら吸気口９と排気口１０との間で空気を流動させることができる。すなわち、プーリ３が頻度の高い前進回転方向に回転する際に、吸気口９から外気を取り込んで固定シーブ６の中空部６ｅへ供給することができる。そして中空部６ｅ内の空気を排気口１０から固定シーブ６の外部へ排出させることができる。
【００４０】
吸気口９から中空部６ｅ内に供給された空気は、固定シーブ６のテーパ面６ａおよびベルト４の熱を奪って温度が上昇する。すなわち、テーパ面６ａおよびベルト４の発熱部位が、中空部６ｅ内に供給された空気によって冷却される。そして、中空部６ｅ内の空気の圧力および体積はほぼ一定と考えられるので、中空部６ｅ内で発熱部位の熱を奪った空気は、温度が上昇することにより、その質量が熱を奪う前の温度が低い空気よりも軽くなる。プーリ３が回転している際の中空部６ｅ内の空気は、遠心力が作用することにより、相対的に温度が低く質量が重い空気が中空部６ｅの外周側に移動し、相対的に温度が高く質量が軽い空気が中空部６ｅの中心側に移動する。したがって、固定シーブ６の外周側に設けられた吸気口９から中空部６ｅに供給された空気は、中空部６ｅ内で発熱部位の熱を奪い温度が高くなることにより質量が軽くなり、中空部６ｅの中心側に移動する。そのため、吸気口９よりも固定シーブ６の中心側に設けられた排気口１０から排出され易くなる。
【００４１】
このように、この発明におけるベルト式無段変速機１では、プーリ３の固定シーブ６を中空構造とし、その固定シーブ６の背面６ｃに、上記のような吸気口９と排気口１０とを形成することにより、固定シーブ６の中空部６ｅ内で効率良く冷却空気を流動させることができる。その結果、テーパ面６ａおよびベルト４の発熱部位を効率良く冷却することができる。
【００４２】
また、排気口１０の開口部１０ａが軸受７に正対するように形成されていることにより、上記のようにして中空部６ｅから排出された空気を、再度、冷却風として軸受７に送風することができる。したがって、回転軸２の回転に伴って温度が上昇する軸受７を、積極的に冷却することができる。軸受７がグリース封入型であった場合、撹拌されて発熱したグリースを、排気口１０の開口部１０ａから排出される空気によって効率良く冷却することができる。
【００４３】
さらに、プーリ３が後進回転方向に回転する際に、吸気口９が、その開口部９ｃで負圧が発生するように形成されていることにより、プーリ３が後進回転方向に回転する場合であっても、吸気口９と排気口１０との間で空気を流動させることができる。すなわち、排気口１０から固定シーブ６の中空部６ｅへ外気を取り込むとともに、中空部６ｅ内の空気を、開口部９ｃで発生する負圧によって吸気口９から固定シーブ６の外部へ吸い出して排出させることができる。したがって、プーリ３が後進回転方向に回転する場合であっても、固定シーブ６の中空部６ｅ内で冷却空気を流動させて、テーパ面６ａおよびベルト４の発熱部位を冷却することができる。
【００４４】
図４，図５，図６に、この発明のベルト式無段変速機１における排気口の他の構成例を示してある。前述したように、この発明における固定シーブ６は、回転軸２と一体に回転しかつ回転軸２の回転軸線方向に移動が不可能なように、回転軸２に取り付けられて固定される。また固定シーブ６は、テーパ面６ａと背面６ｃとの間の内部に中空部６ｅが設けられた中空構造に形成されている。そのため固定シーブ６には、その径方向の中心部に回転軸２と嵌合する嵌合穴が形成されている。そして、固定シーブ６を回転軸２に固定するために、例えばキーが用いられる。あるいはスプラインやセレーションを用いることもできる。そのようなキーやスプラインなどを用いて固定シーブ６を回転軸２に固定する場合、キーとキー溝との間、あるいはスプラインとスプライン溝との間に、不可避的にクリアランスが設けられる。もしくは、固定シーブ６と回転軸２との固定状態を損なわない範囲でクリアランスを設けることができる。この発明では、上記のような固定シーブ６と回転軸２との嵌合部分に設けられるクリアランスを利用して、この発明における排気口を構成することができる。
【００４５】
すなわち、図４，図５，図６に示すこの発明における排気口は、固定シーブ６と回転軸２との嵌合部分のうち、支持部材６ｄと回転軸２との嵌合部分に設けられた背面側排気口１１と、シーブ基体部６ｂと回転軸２との嵌合部分に設けられたテーパ面側排気口１２とから構成されている。具体的には、図４，図５，図６に示すように、固定シーブ６は、回転軸２に嵌め込まれるとともに、キー１３によって回転軸２に固定されている。キー１３は、例えば平行キーや半月キーなどを採用することができる。図４，図５，図６では平行キーを用いた例を示してある。そして、キー１３は、回転軸２に形成されたキー溝に嵌め込まれて固定されている。
【００４６】
回転軸２に固定されるキー１３に対応するキー溝が、固定シーブ６に形成されている。すなわち、固定シーブ６と回転軸２との嵌合部分のうち、支持部材６ｄと回転軸２との嵌合部分に、回転軸２に取り付けられたキー１３に対応するキー溝１４が形成されている。このキー溝１４は、支持部材６ｄと回転軸２との嵌合部分に、中空部６ｅから支持部材６ｄの背面６ｃ側の外部にわたって形成されている。また、固定シーブ６と回転軸２との嵌合部分のうち、シーブ基体部６ｂと回転軸２との嵌合部分に、回転軸２に取り付けられたキー１３に対応するキー溝１５が形成されている。このキー溝１５は、シーブ基体部６ｂと回転軸２との嵌合部分に、中空部６ｅからシーブ基体部６ｂのテーパ面６ａ側の外部にわたって形成されている。そして、それらキー溝１４，１５が回転軸２に取り付けられたキー１３と嵌り合うように、支持部材６ｄおよびシーブ基体部６ｂが回転軸２に嵌め込まれている。すなわち、固定シーブ６が回転軸２に嵌め込まれて一体に固定されている。
【００４７】
上記のように、支持部材６ｄおよびシーブ基体部６ｂは、キー１３が取り付けられた回転軸２に嵌め込まれて固定される。そのため、支持部材６ｄのキー溝１４およびシーブ基体部６ｂのキー溝１５には、それら支持部材６ｄのキー溝１４およびシーブ基体部６ｂのキー溝１５を回転軸２に固定されたキー１３に対して摺動させながら嵌め込むために、所定のクリアランスが設けられる。このクリアランスは、例えば、各キー溝１４，１５にキー１３を嵌め込むために不可避的に設けられるクリアランスである。また、固定シーブ６と回転軸２との固定状態を損なわない範囲で可及的に大きなクリアランスを設けることもできる。
【００４８】
図５に示すように、支持部材６ｄのキー溝１４に設けられるキー１３との間のクリアランス、特にキー溝の深さ方向すなわち回転軸２および固定シーブ６の径方向に設けられるクリアランスは、中空部６ｅから支持部材６ｄの背面６ｃ側の外部まで貫通する貫通穴となる。また、シーブ基体部６ｂのキー溝１５に設けられるキー１３との間のクリアランス、特にキー溝の深さ方向すなわち回転軸２および固定シーブ６の径方向に設けられるクリアランスは、中空部６ｅからシーブ基体部６ｂのテーパ面６ａ側の外部まで貫通する貫通穴となる。
【００４９】
そのため、この発明では、上記のようにキー溝１４およびキー溝１５にそれぞれ設けられるクリアランスを、この発明における排気口として機能させるように構成している。すなわち、支持部材６ｄのキー溝１４の深さ方向に設けられるキー１３との間のクリアランスによって、この発明における背面側排気口１１が構成されている。また、例えば図６に示すように、シーブ基体部６ｂのキー溝１５の深さ方向に設けられるキー１３との間のクリアランスによって、この発明におけるテーパ面側排気口１２が構成されている。
【００５０】
したがって、図５に示すように、プーリ３が前進回転方向に回転する際に、吸気口９から固定シーブ６の中空部６ｅに取り込まれた空気は、背面側排気口１１およびテーパ面側排気口１２を通って、それぞれ、固定シーブ６の外部へ排出される。背面側排気口１１から排出される空気は、前述の排気口１０から排出される空気と同様に、固定シーブ６の  背面６ｃ側に設置された軸受７に放射されることになる。そのため、上記のように、支持部材６ｄのキー溝１４とキー１３との間のクリアランスを利用して背面側排気口１１を構成することにより、前述の構成例と同様に、中空部６ｅから排出される空気を、再度、冷却風として軸受７に送風することができ、回転軸２の回転に伴って温度が上昇する軸受７を、積極的に冷却することができる。
【００５１】
一方、テーパ面側排気口１２から排出される空気は、プーリ３の両テーパ面５ａ，６ａおよびベルト４の内周面ならびに回転軸２の外周面によって隔離された空間へ放出されることになる。そのため、上記のように、シーブ基体部６ｂのキー溝１５とキー１３との間のクリアランスを利用してテーパ面側排気口１２を構成することにより、プーリ３の両テーパ面５ａ，６ａおよびベルト４の内周面ならびに回転軸２の外周面によって隔離されて外部から冷却され難い空間に、中空部６ｅから排出される空気を送ることができ、プーリおよびベルトならびに軸受等の発熱部分を効率良く冷却することができる。
【００５２】
また、図５に示すように、テーパ面側排気口１２および背面側排気口１１は、それぞれ、テーパ面側排気口１２を流れる空気の流量が背面側排気口１１を流れる空気の流量よりも多くなるように形成されている。すなわち、支持部材６ｄのキー溝１４とキー１３との間のクリアランスよりも、シーブ基体部６ｂのキー溝１５とキー１３との間のクリアランスの方が大きくなるように、それら支持部材６ｄのキー溝１４とキー１３との間のクリアランスおよびシーブ基体部６ｂのキー溝１５とキー１３との間のクリアランスが設定されている。そのため、上記のように外部から冷却され難いプーリ３の両テーパ面５ａ，６ａおよびベルト４の内周面ならびに回転軸２の外周面によって隔離された空間に、冷却用の空気を優先的に送り込むことができる。
【００５３】
以上のように、この発明に係るベルト式無段変速機１によれば、プーリ３の固定シーブ６が中空構造に形成されるため、その分、プーリを軽量化することができる。そして、固定シーブ６の背面６ｃに、固定シーブ６の中空部６ｅに対して空気の供給・排出が可能な吸気口９と排気口１０とが設けられることにより、吸気口９から固定シーブ６の中空部６ｅに空気を送り込み、その中空部６ｅに送り込まれた空気を排気口１０から固定シーブ６の外部へ排出することができる。すなわち、固定シーブ６の中空部６ｅ内で冷却用の空気を流動させることができる。そのため、ベルト４との摩擦接触によって温度が上昇するプーリ３のテーパ面５ａ，６ａおよびベルト４を、固定シーブ６の中空部６ｅ側から冷却することができる。さらに、固定シーブ６の排気口１０から排出される空気を、プーリ３および回転軸２を支持する軸受７に放射させることができる。したがって、プーリ３および回転軸２の回転に伴って温度が上昇する軸受を冷却することもできる。そのため、固定シーブ６を中空構造にして軽量化を図る場合であっても、冷却性能が良好な乾式のベルト式無段変速機１を提供することができる。
【００５４】
また、この発明に係るベルト式無段変速機１では、図４，図５，図６に示す構成例のように、固定シーブ６と回転軸２との嵌合部分に、固定シーブ６の中空部６ｅから背面６ｃ側の軸受７に向けて空気を排出する背面側排気口１１と、固定シーブ６の中空部６ｅからテーパ面６ａ側の外部へ空気を排出するテーパ面側排気口１２とを設けることができる。その場合、吸気口９から固定シーブ６の中空部６ｅに供給されてプーリ３およびベルト４を冷却した空気を、背面側排気口１１とテーパ面側排気口１２とから排出させて、背面６ｃ側の軸受７と、プーリ３の各テーパ面５ａ，６ａおよびベルト４の内周面ならびに回転軸２の外周面で囲まれる空間とに放射させることができる。そのため、プーリ３およびベルト４ならびに軸受７等の発熱部分を効率良く冷却し、ベルト式無段変速機の冷却性能を向上させることができる
【００５５】
そして、上記のような背面側排気口１１およびテーパ面側排気口１２は、例えば、固定シーブ６と回転軸２と嵌合部分に形成されるキー溝１４，１５とそのキー溝１４，１５に挿入されるキー１３との間に設けられるクリアランス、あるいは、固定シーブと回転軸と嵌合部分に形成されるスプラインとスプライン溝との間もしくはセレーションとセレーション溝との間に設けられるクリアランスなど、固定シーブと回転軸との嵌合部分に設けられるクリアランスとして形成することができる。すなわち、従来固定シーブ６と回転軸２とを固定するために設けられるキー溝構造やスプライン構造などを兼用して、背面側排気口１１およびテーパ面側排気口１２を形成することができる。そのため、背面側排気口１１およびテーパ面側排気口１２を、それら背面側排気口１１およびテーパ面側排気口１２のための特別な加工を行うことなく容易に形成することができる。
【符号の説明】
【００５６】
１…ベルト式無段変速機、  ２…回転軸、  ３…プーリ、  ３ａ…Ｖ形溝（ベルト巻き掛け溝）、  ４…ベルト、  ５…可動シーブ、  ５ａ…テーパ面、  ６…固定シーブ、  ６ａ…テーパ面、  ６ｃ…背面、  ６ｄ…支持部材、  ６ｅ…中空部、  ７…軸受、  ９…吸気口、  ９ｂ…開口部、  １０…排気口、  １１…背面側排気口、  １２…テーパ面側排気口、  １３…キー。  
【図１】
0005737104.tif 000002
【図２】
0005737104.tif 000003
【図３】
0005737104.tif 000004
【図４】
0005737104.tif 000005
【図５】
0005737104.tif 000006
【図６】
0005737104.tif 000007